【手続補正書】
【提出日】平成23年6月28日(2011.6.28)
【手続補正１】
【補正対象書類名】特許請求の範囲
【補正対象項目名】全文
【補正方法】変更
【補正の内容】
【特許請求の範囲】
【請求項１】
パネル表示面を有する表示手段と、
前記パネル表示面に対する押下操作を検知するとともに、押下操作された位置を検出する入力検出手段と、
前記パネル表示面に対する操作入力位置を複数設定し、前記入力検出手段が前記操作入力位置での押下操作を検出したとき、該操作入力位置に対応して予め設定された処理を実行する処理実行手段と、を有する装置本体と、
前記パネル表示面を覆う使用位置で前記装置本体に保持される硬質な薄板状のカバー部と、前記カバー部に一体的に設けられ、該カバー部が前記使用位置に保持された状態で前記複数の操作入力位置とそれぞれ対向し、且つ前記カバー部の表面から前記パネル表示面の反対側に向かって突出する複数の突部と、を有する入力操作補助パネルと、
を備えたことを特徴とする入力装置。
【請求項２】
請求項１に記載の入力装置であって、
前記カバー部が前記使用位置に向かうように前記入力操作補助パネルが前記装置本体に対して移動するとき、前記カバー部を前記使用位置に案内する案内手段を備えた
ことを特徴とする入力装置。
【請求項３】
請求項１に記載の入力装置であって、
前記入力操作補助パネルは、前記複数の突部の配置の態様によって分類される前記入力操作補助パネルのタイプを示すタイプ識別手段を有し、
前記装置本体は、前記カバー部が前記使用位置に保持された状態で前記タイプ識別手段を検知して前記入力操作補助パネルのタイプを認識するタイプ認識手段を有する
ことを特徴とする入力装置。
【請求項４】
請求項３に記載の入力装置であって、
前記処理実行手段は、前記タイプ認識手段が認識した前記入力操作補助パネルのタイプに基づき、当該入力操作補助パネルの突部と対向する位置に前記操作入力位置を設定する
ことを特徴とする入力装置。
【請求項５】
請求項４に記載の入力装置であって、
前記突部は、光透過性を有し、
前記装置本体は、前記操作入力位置を示す所定のアイコンを前記表示手段に表示する表示制御手段を有し、
前記表示制御手段は、前記タイプ認識手段が前記入力操作補助パネルのタイプを認識したとき、前記所定のアイコンの形状を、前記突部を透過する際の光の屈折方向と逆方向に補正して表示する
ことを特徴とする入力装置。
【請求項６】
請求項３に記載の入力装置であって、
前記装置本体は、
前記タイプ認識手段が認識した前記入力操作補助パネルのタイプが前記処理実行手段により実行される処理に適応しているか否かを判定するカバー適否判定手段と、
前記入力操作補助パネルのタイプが前記処理に適応していない不適合状態であると前記カバー適否判定手段が判定したとき、該不適合状態をユーザに報知する報知手段と、を有する
ことを特徴とする入力装置。
【請求項７】
請求項３に記載の入力装置であって、
前記処理実行手段は、前記タイプ認識手段が認識した前記入力操作補助パネルのタイプに合わせて前記操作入力位置を設定するとともに、該前記入力操作補助パネルのタイプに適応する処理を実行する
ことを特徴とする入力装置。
【請求項８】
請求項１に記載の入力装置であって、
前記装置本体は、
前記操作入力位置を示す所定のアイコンを前記表示手段に表示する表示制御手段と、
前記カバー部が前記使用位置に保持されているか否かを判定するカバー保持判定手段と、を有し、
前記突部には、所定の識別表示が予め表示され、
前記表示制御手段は、前記カバー部が前記使用位置に保持されていると前記カバー保持判定手段が判定したとき、前記所定のアイコンを表示しない
ことを特徴とする入力装置。
【請求項９】
請求項１に記載の入力装置であって、
前記突部は、前記カバー部よりも軟質な材料で形成されている
ことを特徴とする入力装置。
【請求項１０】
パネル表示面に対する操作入力位置を複数設定し、前記操作入力位置での押下操作を検出したとき、該操作入力位置に対応して予め設定された処理を実行する装置本体に装着される入力操作補助パネルであって、
前記パネル表示面を覆う使用位置で前記装置本体に対して保持される硬質な薄板状のカバー部と、
前記カバー部に一体的に設けられ、該カバー部が前記使用位置に保持された状態で前記複数の操作入力位置とそれぞれ対向し、且つ前記カバー部の表面から前記パネル表示面の反対側に向かって突出する複数の突部と、
前記カバー部が前記使用位置に向かうように前記入力操作補助パネルが前記装置本体に対して移動するとき、前記カバー部を前記使用位置に案内する案内手段と、
を備えたことを特徴とする入力操作補助パネル。
【請求項１１】
請求項１０に記載の入力操作補助パネルであって、
前記複数の突部の配置によって分類される前記入力操作補助パネルのタイプを示すタイプ識別手段を有し、
前記タイプ識別手段は、前記カバー部が前記使用位置に保持された状態で前記装置本体に検知され、これにより前記入力操作補助パネルのタイプが前記装置本体に認識される
ことを特徴とする入力操作補助パネル。
【手続補正２】
【補正対象書類名】明細書
【補正対象項目名】００２７
【補正方法】変更
【補正の内容】
【００２７】
出力インターフェース１２は、液晶表示装置（ＬＣＤ：Liquid Crystal Display）２２とＬＣＤコントローラ２３とを備えている。ＬＣＤ２２は、ＬＣＤパネル２６（図１０に示す）やドライバ回路などをモジュール化したものである。ＬＣＤコントローラ２３は、制御部１１のフレームバッファから出力された画像データを一時的に格納するＲＡＭを内蔵し、制御部（メイン制御部）１１からの制御により、ＲＡＭ内の画像データを所定のタイミングで読み出して、ＬＣＤ２２へ出力する。
【手続補正３】
【補正対象書類名】明細書
【補正対象項目名】００６２
【補正方法】変更
【補正の内容】
【００６２】
受信した操作入力位置情報が示す座標位置がパネル表示面３のタイプ認識領域３６ａ，３６ｂ，３６ｃに含まれる場合、制御部１１は、何れのタイプ認識領域３６ａ，３６ｂ，３６ｃに含まれる操作入力位置情報であるかに応じて、装着された入力操作補助パネル２のタイプを判別する。例えば、タイプ認識領域３６ａ，３６ｃに含まれる操作入力位置情報を受信し、且つタイプ認識領域３６ｂに含まれる操作入力位置情報を受信していない場合には、ゲーム用の入力操作補助パネル２Ａであると判定し、タイプ認識領域３６ａ〜３６ｃに含まれる操作入力位置情報を全て受信している場合には、キーボード用の入力操作補助パネル２Ｂであると判定し、タイプ認識領域３６ｂに含まれる操作入力位置情報を受信し、且つタイプ認識領域３６ａ，３６ｃに含まれる操作入力位置情報を受信していない場合には、鍵盤用の入力操作補助パネル２Ｃであると判定し、タイプ認識領域３６ａ，３６ｂに含まれる操作入力位置情報を受信し、且つタイプ認識領域３６ｃに含まれる操作入力位置情報を受信していない場合には、携帯電話型用の入力操作補助パネル２Ｄであると判定する。
【手続補正４】
【補正対象書類名】明細書
【補正対象項目名】０１０９
【補正方法】変更
【補正の内容】
【０１０９】
【図１】本発明の第１の実施形態に係る端末装置とゲーム用の入力操作補助パネルとを分離した状態を示す斜視図である。
【図２】端末装置の主要部の概略的なシステム構成の一例を示すブロック図である。
【図３】端末装置の主要部の概略的なソフトウェア構成の一例を示すブロック図である。
【図４】キーボード表示パターンが表示された端末装置の平面図である。
【図５】鍵盤表示パターンが表示された端末装置の平面図である。
【図６】携帯電話型表示パターンが表示された端末装置の平面図である。
【図７】端末装置と入力操作補助パネルとを分離した状態を示す断面図である。
【図８】端末装置に入力操作補助パネルを装着した状態を示す断面図である。
【図９】端末装置に入力操作補助パネルを装着した状態を示す斜視図である。
【図１０】パネル表示面上の使用位置にカバー部を設定した状態を示す断面図である。
【図１１】キーボード用の入力操作補助パネルの平面図である。
【図１２】鍵盤用の入力操作補助パネルの平面図である。
【図１３】携帯電話型用の入力操作補助パネルの平面図である。
【図１４】ゲーム用の入力操作補助パネルの使用状態を示す斜視図である。
【図１５】第３の実施形態を示す斜視図である。
【図１６】第４の実施形態を示す断面図である。
【図１７】第５の実施形態に係るゲーム用の入力操作補助パネルを端末装置に装着した状態を示す斜視図である。
【図１８】図１７の入力操作補助パネルを端末装置から分離した状態を示す斜視図である。
【図１９】第６の実施形態に係る第１及び第２の入力操作補助パネルの非使用状態（収容状態）を示す側面図である。
【図２０】図１９の第１の入力操作補助パネルの使用状態を示す側面図である。
【図２１】図１９の第２の入力操作補助パネルの使用状態を示す側面図である。